(57)【特許請求の範囲】
【請求項１】
計数すべき紙幣を受け入れるホッパと、該ホッパに受け入れた紙幣を１枚ずつ繰り出して搬送する繰出搬送部と、該繰出搬送部の下流側に設けられ搬送される紙幣の計数を行う計数部と、該計数部の下流側に設けられ該計数部によって計数された紙幣を集積させるスタッカと、前記ホッパに設けられ紙幣の有無を検知するホッパセンサと、前記計数部によって計数された紙幣の枚数情報を少なくとも表示可能な表示部とを備える紙幣計数機において、
操作者によって操作され、同一対象紙幣を再計数する再鑑モードに設定するための再鑑モード選択手段を備え、該再鑑モード選択手段により再鑑モードに切り替えられた後であって、初回の計数終了時に前記ホッパセンサが紙幣在りから無しを検知したことに呼応して、前記表示部に表示された枚数情報を保持記憶し、
前記スタッカに集積された紙幣が取り出されて前記ホッパに再受け入れされることにより、前記ホッパセンサが紙幣無しから在りを検知したことに呼応して２回目の計数を開始すると共に、該２回目の計数が終了して前記ホッパセンサが紙幣在りから無しを検知した時点での枚数情報と前記表示部に保持記憶された枚数情報とを比較し、両者が合致しないときに警告表示を行うように制御する制御部を備えたことを特徴とする紙幣計数機。
【請求項２】
前記スタッカに設けられ、前記スタッカ内の紙幣の有無を検知するスタッカセンサをさらに具備するとともに、
初回の計数終了時に前記ホッパセンサが紙幣在りから無しを検知し、且つ前記スタッカセンサが紙幣在りから無しを検知したことに呼応して、前記表示部に表示された枚数情報を保持記憶することを特徴とする請求の範囲第１項に記載の紙幣計数機。
【請求項３】
前記表示部は、計数された紙幣の枚数情報を表示するカウント表示部と、初回の計数によって得られた枚数情報を表示するバッチ表示部とを含むものであり、
初回の計数終了時に前記ホッパセンサが紙幣在りから無しを検知したことに呼応して、前記カウント表示部に表示されている初回の枚数情報を保持記憶すると共に、該枚数情報を前記バッチ表示部に移動させ、前記スタッカに集積された紙幣が取り出されて前記ホッパに再受け入れされることにより、前記ホッパセンサが紙幣無しから在りを検知したことに呼応して２回目の計数を開始すると共に、該２回目の計数が終了して前記ホッパセンサが紙幣在りから無しを検知した時点での枚数情報を前記カウント表示部に表示すると共に、これを前記バッチ表示部に表示されている初回の枚数情報と比較し、両者が合致しないときに警告表示を行うように前記制御部が制御することを特徴とする請求の範囲第１項に記載の紙幣計数機。
【請求項４】
前記スタッカに設けられ、前記スタッカ内の紙幣の有無を検知するスタッカセンサをさらに具備し、
初回の計数終了時に前記ホッパセンサが紙幣在りから無しを検知し、且つ前記スタッカセンサが紙幣在りから無しを検知したことに呼応して、前記カウント表示部に表示された初回の枚数情報を保持記憶するとともに、該枚数情報を前記バッチ表示部に移動させることを特徴とする請求の範囲第３項に記載の紙幣計数機。
【請求項５】
計数すべき紙幣を受け入れるホッパと、該ホッパに受け入れた紙幣を１枚ずつ繰り出して搬送する繰出搬送部と、該繰出搬送部の下流側に設けられ搬送される紙幣の計数を行う計数部と、該計数部の下流側に設けられ該計数部によって計数された紙幣を集積させるスタッカと、前記ホッパに設けられ紙幣の有無を検知するホッパセンサと、前記計数部によって計数された紙幣の枚数情報を少なくとも表示可能な表示部とを備える紙幣計数機において、
操作者によって操作され、同一対象紙幣を再計数する再鑑モードに設定するための再鑑モード選択手段を備え、該再鑑モード選択手段により再鑑モードに切り替えられた後であって、初回の計数終了時に前記ホッパセンサが紙幣在りから無しを検知したことに呼応して、前記表示部に初回の枚数情報を表示させると共に記憶し、前記スタッカに集積された紙幣が取り出されて前記ホッパに再受け入れされることにより、前記ホッパセンサが紙幣無しから在りを検知したことに呼応して２回目の計数を開始すると共に、前記紙幣を１枚数えるごとに前記初回の枚数情報から１を減じた枚数を前記表示部に表示し、前記ホッパセンサが紙幣無しを検知した時点での前記表示部の表示が零でなければ警告表示を行うように制御する制御部を備えたことを特徴とする紙幣計数機。
【請求項６】
前記スタッカに設けられ、前記スタッカ内の紙幣の有無を検知するスタッカセンサをさらに具備し、
前記ホッパセンサが紙幣在りから無しを検知し、且つ前記スタッカセンサが紙幣在りから無しを検知したことに呼応して、前記表示部に初回の枚数情報を表示させると共に記憶することを特徴とする請求の範囲第５項に記載の紙幣計数機。
【発明の詳細な説明】
【技術分野】  本発明はホッパに受け入れた紙幣を識別すると共に、受け入れた紙幣の枚数を計数する紙幣計数機に関するもので、特に同一対象の紙幣を再度確認計数して計数精度の妥当性を担保する機能を有した紙幣計数機に関する。
【背景技術】  紙幣の枚数を数える場合、正確を期するために同じ紙幣を２回連続して数えることを業界用語で「再鑑」というが、一般的には、１回目に数えた枚数を紙などにメモしておいて、２回目に数えた枚数と比較し、一致していれば正しいと判定するものである。
この再鑑を行える機能を有した紙幣計数機として、例えば実開平５−５２９７０号公報に示されるものがある。
上記公報で示される紙葉類計数機では、再鑑機能を使用する場合に、モード選択手段で再鑑モードを選択すると共に、計数すべき紙葉類の枚数を枚数設定手段により設定するようにしている。例えば、札束の一つが１００枚であった場合、オペレータが１００という数値を枚数設定手段により入力して記憶させ、その後、計数機で実際に計数した枚数と、既に入力された設定枚数とを計数機が自動的に比較して、一致すれば正常終了とし、両者が不一致であれば表示制御手段を起動してオペレータに警報を発するようにしている。
また、帯封された札束のように予め枚数の分かっている紙幣ではなく、枚数の半端な束紙幣を数える場合は、まず、通常の計数モードで計数し、その結果を紙に書き留めておき、次に、再鑑モードに切り替えて１回目に計数した結果を入力してから２回目の計数を行い、その結果と既に入力された設定枚数とを比較して、一致した場合を正しい枚数としている。
【発明の開示】
【発明が解決しようとする課題】  上記公報に示される計数機では、再鑑モード使用時に枚数入力設定が必要となっており、煩わしいという欠点があった。
この入力を省くために、デフォルトで設定枚数を「１００」としておくことも考えられるが、上述のように、常に枚数の決まっている札束を計数するだけではなく、端数を伴う枚数の紙幣を計数する場合もあるので、設定枚数を固定化することはできない。
さらには、設定枚数を入力する際に、オペレータが入力ミスを起こさないとも限らない。もし、入力ミスがあれば、（２回目に正しく計数したとしても）計数した枚数とは一致しなくなる。しかも、この場合は、設定枚数の入力ミスなのか、計数のミスなのかが判断できないという問題も発生する。
本発明は、上述のような事情に鑑み為されたものであり、１回目の計数枚数の設定入力操作を必要とせずに、再鑑機能を使用することができる紙幣計数機を提供することを目的とするものである。
【課題を解決するための手段】  本発明は、再鑑機能を有する紙幣計数機に関し、本発明の上記目的は、計数すべき紙幣を受け入れるホッパと、該ホッパに受け入れた紙幣を１枚ずつ繰り出して搬送する繰出搬送部と、該繰出搬送部の下流側に設けられ搬送される紙幣の計数を行う計数部と、該計数部の下流側に設けられ該計数部によって計数された紙幣を集積させるスタッカと、前記ホッパに設けられ紙幣の有無を検知するホッパセンサと、前記計数部によって計数された紙幣の枚数情報を少なくとも表示可能な表示部とを備える紙幣計数機において、
操作者によって操作され、同一対象紙幣を再計数する再鑑モードに設定するための再鑑モード選択手段を備え、該再鑑モード選択手段により再鑑モードに切り替えられた後であって、初回の計数終了時に前記ホッパセンサが紙幣在りから無しを検知したことに呼応して、前記表示部に表示された枚数情報を保持記憶し、前記スタッカに集積された紙幣が取り出されて前記ホッパに再受け入れされることにより、前記ホッパセンサが紙幣無しから在りを検知したことに呼応して２回目の計数を開始すると共に、該２回目の計数が終了して前記ホッパセンサが紙幣在りから無しを検知した時点での枚数情報と前記表示部に保持記憶された枚数情報とを比較し、両者が合致しないときに警告表示を行うように制御する制御部を備えることによって達成される。
また、本発明の上記目的は、前記紙幣計数機において、前記スタッカに設けられ、前記スタッカ内の紙幣の有無を検知するスタッカセンサをさらに具備するとともに、初回の計数終了時に前記ホッパセンサが紙幣在りから無しを検知し、且つ前記スタッカセンサが紙幣在りから無しを検知したことに呼応して、前記表示部に表示された枚数情報を保持記憶することによって、効果的に達成される。
さらに、本発明の上記目的は、前記紙幣計数機において、前記表示部は計数された紙幣の枚数情報を表示するカウント表示部と初回の計数によって得られた枚数情報を表示するバッチ表示部とを含むものであり、
初回の計数終了時に前記ホッパセンサが紙幣在りから無しを検知したことに呼応して、前記カウント表示部に表示されている初回の枚数情報を保持記憶すると共に、該枚数情報を前記バッチ表示部に移動させ、前記スタッカに集積された紙幣が取り出されて前記ホッパに再受け入れされることにより、前記ホッパセンサが紙幣無しから在りを検知したことに呼応して２回目の計数を開始すると共に、該２回目の計数が終了して前記ホッパセンサが紙幣在りから無しを検知した時点での枚数情報を前記カウント表示部に表示すると共に、これを前記バッチ表示部に表示されている初回の枚数情報と比較し、両者が合致しないときに警告表示を行うように前記制御部が制御することによって、より効果的に達成される。
またさらに、本発明の上記目的は、前記紙幣計数機において、前記スタッカに設けられ前記スタッカ内の紙幣の有無を検知するスタッカセンサをさらに具備し、初回の計数終了時に前記ホッパセンサが紙幣在りから無しを検知し、且つ前記スタッカセンサが紙幣在りから無しを検知したことに呼応して、前記カウント表示部に表示された初回の枚数情報を保持記憶するとともに、該枚数情報を前記バッチ表示部に移動させるように前記制御部が制御することにより、さらに効果的に達成される。
さらにまた、本発明の上記目的は、計数すべき紙幣を受け入れるホッパと、該ホッパに受け入れた紙幣を１枚ずつ繰り出して搬送する繰出搬送部と、該繰出搬送部の下流側に設けられ搬送される紙幣の計数を行う計数部と、該計数部の下流側に設けられ該計数部によって計数された紙幣を集積させるスタッカと、前記ホッパに設けられ紙幣の有無を検知するホッパセンサと、前記計数部によって計数された紙幣の枚数情報を少なくとも表示可能な表示部とを備える紙幣計数機において、
操作者によって操作され、同一対象紙幣を再計数する再鑑モードに設定するための再鑑モード選択手段を備え、該再鑑モード選択手段により再鑑モードに切り替えられた後であって、初回の計数終了時に前記ホッパセンサが紙幣在りから無しを検知したことに呼応して、前記表示部に初回の枚数情報を表示させると共に記憶し、前記スタッカに集積された紙幣が取り出されて前記ホッパに再受け入れされることにより、前記ホッパセンサが紙幣無しから在りを検知したことに呼応して２回目の計数を開始すると共に、前記紙幣を１枚数えるごとに前記初回の枚数情報から１を減じた枚数を前記表示部に表示し、前記ホッパセンサが紙幣無しを検知した時点での前記表示部の表示が零でなければ警告表示を行うように制御する制御部を備えることによって達成される。
また、本発明の上記目的は、前記スタッカに設けられ、前記スタッカ内の紙幣の有無を検知するスタッカセンサをさらに具備し、前記ホッパセンサが紙幣在りから無しを検知し、且つ前記スタッカセンサが紙幣在りから無しを検知したことに呼応して、前記表示部に初回の枚数情報を表示させると共に記憶することによって効果的に達成される。
【図面の簡単な説明】  第１図は、本発明に係る紙幣計数機の外観の一例を示す斜視図である。第２図は、本発明に係る紙幣計数機の内部構造の一例を示す図である。第３図は、本発明に係る紙幣計数機の内部構成を示すブロック図である。第４図は、本発明に係る紙幣計数機の操作表示部の実施例を示す図である。第５図は本発明に係る紙幣計数機の第１実施例における動作の流れを示すフローチャートである。第６図は、計数処理のタイミングと、その時点における各センサの出力状態との関係を示す図である。第７図は本発明に係る紙幣計数機の第２実施例における動作の流れを示すフローチャートである。第８図は第７図の各ステップにおける表示部の表示状態を説明するための図である。第９図は本発明に係る紙幣計数機の第３実施例における動作の流れを示すフローチャートである。
【発明を実施するための最良の形態】  以下に、本発明に係る紙幣計数機の実施の形態を、図面を参照して説明する。
第１図は、本願発明に係る紙幣計数機の外観の一例を示す斜視図である。ホッパ部１から投入された紙幣が機械の内部で識別／計数されてスタッカ部２に整列集積される。操作表示部３は種々の操作ボタンを有しており、ボタン操作により必要な指示を行うとともに、紙幣の計数結果等を表示する表示部を有している。
第２図は本発明に係る紙幣計数機の内部構造の一例を示す縦断面図である。ホッパ部１に載置された紙幣は繰り出しローラ６ａによって紙幣計数機の搬送路に送り込まれ、搬送ローラ６ｂによって搬送される。なお、繰り出しローラ６ａと搬送ローラ６ｂとで繰出搬送部６が構成される。紙幣搬送途中において、識別／計数部７において金種が判定されるとともに、枚数が計数される。その後、回転している羽根車８の羽根の間に受け止められて、スタッカ部２に整列集積される。また、ホッパ部１に紙幣が在るか否かを検知するためのホッパセンサ４、及びスタッカ部２に紙幣が在るか否かを検知するためのスタッカセンサ５も有している。
第３図は、本発明に係る紙幣計数機の内部構成を示すブロック図である。操作表示部３、ホッパセンサ４、スタッカセンサ５、繰出搬送部６、識別／計数部７、モード選択手段１１、記憶手段１２、及び比較手段１３が制御部１０に接続されており、所定のプログラムによって制御されている。モード選択手段１１は、操作表示部３から入力されたモード選択情報に基づいて操作モードを切り替えて、選択されたモードにて紙幣計数機を動作させる働きをするものである。記憶手段１２は、計数された紙幣の枚数情報、金種ごとの識別情報等を記憶するためのものである。比較手段１３は、記憶手段１２に記憶されている情報と、紙幣の識別／計数時に得られる情報（枚数、金種）とを比較し、識別／計数が正しく行われたか否かを判定するためのものである。
第４図は、前記操作表示部３の実施例を示す図である。表示部３１は７セグメントや液晶表示器等で構成され、計数枚数等の情報を表示するものである。また、操作モードボタン３２は、各ボタンを押すことによってモード選択情報を入力するためのものである。本発明における「再鑑モード」の選択は、第４図における左上の「ＲＥＣＯＵＮＴ」ボタンを押すことにより行える。
第５図は本発明に係る紙幣計数機の第１実施例における動作の流れを示すフローチャートである。以下、この図を参照しつつ説明する。
まず、操作者が操作表示部３（第４図参照）において「ＲＥＣＯＵＮＴ」ボタンを押して、再鑑モードに設定する（ステップＳ１０１）。これにより、モード選択手段１１が制御部１０に対して再鑑モードでの制御を行うよう指令する。操作者が計数すべき紙幣をまとめてホッパ部１に載置し、スタートボタン（第４図における「ＲＥＳＴＡＲＴ」ボタン）を押下すると紙幣が繰り出されて、計数が開始される（ステップＳ１０２）。なお、スタートボタンを押す代わりに、ホッパセンサ４が紙幣在りを検知した数秒後に自動的にスタートするように構成してもよい。計数が開始されると表示部３１に枚数が表示され（ステップＳ１０３）、すべての紙幣の計数が終了し、ホッパセンサ４が紙幣無しを検知した時点で紙幣の繰り出しを停止する（ステップＳ１０４）。このとき表示部３１に表示されている枚数が１回目の計数結果であるので、この枚数情報（これをＸとする。）を記憶手段１２に記憶するとともに、表示部３１の表示をクリアしてゼロとする（ステップＳ１０５）。
次に、スタッカ部２から計数済みの紙幣を全部取り出し、ホッパ部１に再載置する（ステップＳ１０６）。ホッパセンサ４が紙幣無しから在りを検知したことに呼応して自動的に紙幣が繰り出されて、２回目の計数が開始される（ステップＳ１０７）。計数された紙幣の枚数が順次表示部３１に表示され（ステップＳ１０８）、すべての紙幣の計数が終了し、ホッパセンサ４が紙幣無しを検知した時点で紙幣の繰り出しを停止する（ステップＳ１０９）。このとき表示部３１に表示されている枚数が２回目の計数結果であるので、この枚数情報（これをＹとする。）と、記憶手段１２に記憶されている１回目の枚数情報（Ｘ）とを比較手段１３において比較する（ステップＳ１１０）。
ここで、Ｙ＝Ｘであれば正常終了とし、表示部３１に表示されている枚数が最終的な計数枚数となる。もし、Ｙ≠Ｘであれば、ブザーを鳴らし、表示部３１に表示されている枚数表示を点滅させる（ステップＳ１１１）。これによって、操作者は異常が発生したことを知ることができる。
第６図は、計数処理のタイミングと、その時点における各センサの出力状態との関係を示す図である。上記ステップＳ１０５は、第６図における矢印Ｂのタイミングで行われる。
なお、上記のステップＳ１０４の後で、スタッカ部２から紙幣を全部取り出したとき（すなわち、スタッカセンサ５が紙幣在りから無しを検知したときであり、第６図における矢印Ｃのタイミングである。）に、前記枚数情報（Ｘ）を記憶手段１２に記憶するとともに、表示部３１の表示をクリアするようにしてもよい。このようにすれば、もしスタッカ部２に紙幣が１枚でも残っていると、１回目の計数結果がクリアされず、また、２回目の計数もスタートしないので、計数した紙幣の一部をスタッカ部２に置き残したまま２回目の計数を行う等の誤操作を防止することができる。
第７図は本発明に係る紙幣計数機の第２実施例における動作の流れを示すフローチャートである。第１実施例と異なる点は、表示部３１を二つのエリアに分け、計数中の枚数を表示するエリアを「カウント表示部」、確定した１回目の計数枚数を表示するエリアを「バッチ表示部」として、カウント表示部に表示された枚数情報を１回目の計数終了時にバッチ表示部に移動させる点である。こうすることにより、１回目の計数枚数と２回目の計数枚数とを対比させて見ることができる。また、第８図は第７図の各ステップにおける表示部の表示状態を説明するためのものである。以下、これらの図を参照しつつ説明する。
まず、操作者が操作表示部３（第４図参照）において「ＲＥＣＯＵＮＴ」ボタンを押して、再鑑モードに設定する（ステップＳ２０１）。操作者が計数すべき紙幣をまとめてホッパ部１に載置し、スタートボタンを押下すると紙幣が繰り出されて、計数が開始される（ステップＳ２０２）。なお、スタートボタンを押す代わりに、ホッパセンサ４が紙幣在りを検知した数秒後に自動的にスタートするように構成してもよい。計数が開始されるとカウント表示部に枚数が表示され（ステップＳ２０３）、すべての紙幣の計数が終了し、ホッパセンサ４が紙幣無しを検知した時点で紙幣の繰り出しを停止する（ステップＳ２０４）。このときカウント表示部に表示されている枚数が１回目の計数結果であるので（表示部３１の状態は、第８図の（２）の通りである。）、この枚数情報（これをＸとする。）を記憶手段１２に記憶するとともに、Ｘをバッチ表示部に表示し、カウント表示部クリアしてゼロとする（ステップＳ２０５）。このとき、表示部３１の状態は、第８図の（３）の通りである。
次に、スタッカ部２から計数済みの紙幣を全部取り出し、ホッパ部１に再載置する（ステップＳ２０６）。ホッパセンサ４が紙幣無しから在りを検知したことに呼応して自動的に紙幣が繰り出されて、２回目の計数が開始される（ステップＳ２０７）。計数された紙幣の枚数が順次カウント表示部に表示され（ステップＳ２０８）、すべての紙幣の計数が終了し、ホッパセンサ４が紙幣無しを検知した時点で紙幣の繰り出しを停止する（ステップＳ２０９）。このときカウント表示部に表示されている枚数が２回目の計数結果であるので、この枚数情報（これをＹとする。）と、記憶手段１２に記憶されている１回目の枚数情報（Ｘ）とを比較手段１３において比較する（ステップＳ２１０）。
ここで、Ｙ＝Ｘであれば正常終了とし、カウント表示部に表示されている枚数が最終的な計数枚数となる。このとき、表示部３１の状態は、第８図の（４）の通りである。
もし、Ｙ≠Ｘであれば、ブザーを鳴らし、カウント表示部に表示されている枚数表示を点滅させる（ステップＳ２１１）。このとき、表示部３１の状態は、第８図の（４’）の通りである。これによって、操作者は異常が発生したことを知ることができる。
なお、上記のステップＳ２０４の後で、スタッカ部２から紙幣を全部取り出したとき（すなわち、スタッカセンサ５が紙幣在りから無しを検知したときであり、第６図における矢印Ｃのタイミングである。）に、前記枚数情報（Ｘ）を記憶手段１２に記憶するとともに、Ｘをバッチ表示部に表示し、カウント表示部クリアしてゼロとするようにしてもよい。このようにすれば、もしスタッカ部２に紙幣が１枚でも残っていると、１回目の計数結果がクリアされず、また、２回目の計数もスタートしないので、計数した紙幣の一部をスタッカ部２に置き残したまま２回目の計数を行う等の誤操作を防止することができる。
第９図は本発明に係る紙幣計数機の第３実施例における動作の流れを示すフローチャートである。第１実施例と異なる点は、１回目の計数が終了した時点で（計数枚数を記憶手段１２に記憶するとともに）、表示部３１の表示をクリアしてゼロとするのではなく、１回目の計数枚数の表示を保持しつつ、２回目の計数枚数をそこから減じていくという点である。１回目の計数枚数と２回目の計数枚数が等しければ、２回目の計数が終了した時点での表示部３１の表示はゼロになるという性質を利用したものである。以下、この図を参照しつつ説明する。
まず、操作者が操作表示部３（第４図参照）において「ＲＥＣＯＵＮＴ」ボタンを押して、再鑑モードに設定する（ステップＳ３０１）。操作者が計数すべき紙幣をまとめてホッパ部１に載置し、スタートボタンを押下すると紙幣が繰り出されて、計数が開始される（ステップＳ３０２）。なお、スタートボタンを押す代わりに、ホッパセンサ４が紙幣在りを検知した数秒後に自動的にスタートするように構成してもよい。計数が開始されると表示部３１に枚数が表示され（ステップＳ３０３）、すべての紙幣の計数が終了し、ホッパセンサ４が紙幣無しを検知した時点で紙幣の繰り出しを停止する（ステップＳ３０４）。このとき表示部３１に表示されている枚数が１回目の計数結果であるので、この枚数情報（これをＸとする。）を記憶手段１２に記憶するとともに、この表示を保持する（ステップＳ３０５）。
次に、スタッカ部２から計数済みの紙幣を全部取り出し、ホッパ部１に再載置する（ステップＳ３０６）。ホッパセンサ４が紙幣無しから在りを検知したことに呼応して自動的に紙幣が繰り出されて、２回目の計数が開始される（ステップＳ３０７）。紙幣が１枚計数される毎に、表示されている枚数から１が減じられ（ステップＳ３０８）、すべての紙幣の計数が終了し、ホッパセンサ４が紙幣無しを検知した時点で紙幣の繰り出しを停止する（ステップＳ３０９）。このとき表示部に表示されている枚数がゼロであれば、１回目の計数枚数と２回目の計数枚数は等しいと判断されるので、正常終了として表示部３１に１回目の枚数情報（Ｘ）を表示する（ステップＳ３１０）。
もし、ゼロでなければ、ブザーを鳴らし、表示部３１に表示されている数字を点滅させる（ステップＳ３１１）。これによって、操作者は異常が発生したことを知ることができる。
なお、上記のステップＳ３０４の後で、スタッカ部２から紙幣を全部取り出したときに（すなわち、スタッカセンサ５が紙幣在りから無しを検知したときであり、第６図における矢印Ｃのタイミングである。）、前記枚数情報（Ｘ）を記憶手段１２に記憶するとともに、その表示を保持するようにしてもよい。このようにすれば、もしスタッカ部２に紙幣が１枚でも残っていると、１回目の計数結果が保持されず、また、２回目の計数もスタートしないので、計数した紙幣の一部をスタッカ部２に置き残したまま２回目の計数を行う等の誤操作を防止することができる。
【産業上の利用可能性】  本発明の第１実施例によれば、１回目の計数枚数が自動的に表示部に保持されるので、操作者が初回の計数枚数を記憶する必要がなく、また、計数結果を入力する必要もないので、煩わしさから操作者が解放されるとともに、ミスが無くなる。
本発明の第２実施例によれば、表示部の一方（バッチ表示部）に初回の枚数が表示され、且つ他方（カウント表示部）に再鑑時の枚数が表示され、比較対照することができるので使い勝手が更に向上する。
本発明の第３実施例によれば、１回目の計数値が徐々に減算され再計数が完了した時点で零とならない場合に警告表示を行うので、視覚的にも確認し易くなる。
なお、上記第１〜３実施例において、ホッパセンサとスタッカセンサとを協働させることにより、スタッカ部から紙幣が抜き取られてから１回目の計数結果を記憶させるようにすることができるので、スタッカ部に紙幣の一部を残したまま再鑑を行う等の誤操作を防止できる。
【図１】
0004695132.tif 000002
【図２】
0004695132.tif 000003
【図３】
0004695132.tif 000004
【図４】
0004695132.tif 000005
【図５】
0004695132.tif 000006
【図６】
0004695132.tif 000007
【図７】
0004695132.tif 000008
【図８】
0004695132.tif 000009
【図９】
0004695132.tif 000010